(57)【要約】【課題】  薄型化を図ることが可能なＬＥＤ照明器具を提供すること。【解決手段】  第１方向を長手方向とし、ｚ方向を幅方向とする細長状の基板２００と、基板２００に支持され、上記第１方向に沿って配列された複数のＬＥＤチップ３００と、ｙ方向を向き、複数のＬＥＤチップ３００からの光が入射する入射面４１０、上記第１方向およびｙ方向に沿って広がり、入射面４１０から進行してきた光をｚ方向に向けて反射する反射面４２０、上記第１方向およびｙ方向に沿って広がり、反射面４２０から進行した光を出射する出射面４３０、を有し、ｚ方向を厚さ方向とする導光板４００と、基板２００を支持し、導光板４００を囲む複数の側板５２０およびこれらの側板５２０をつなぐ底板５１０を有するケース５００と、を備える。【選択図】  図３
2014022209.tif 000002
【特許請求の範囲】
【請求項１】
第１方向を長手方向とし、第２方向を幅方向とする細長状の１以上の基板と、
上記基板に支持され、上記第１方向に沿って配列された複数のＬＥＤチップと、
上記第１および第２方向のいずれに対しても直角である第３方向を向き、上記複数のＬＥＤチップからの光が入射する入射面、上記第１および第３方向に沿って広がり、上記入射面から進行してきた光を上記第２方向に向けて反射する反射面、上記第１および第３方向に沿って広がり、上記反射面から進行した光を出射する出射面、を有し、上記第２方向を厚さ方向とする導光板と、
上記基板を支持し、上記導光板を囲む複数の側板およびこれらの側板をつなぐ底板を有するケースと、
を備えることを特徴とする、ＬＥＤ照明器具。
【請求項２】
上記ケースは、上記側板から上記導光板に向かって突出する１以上の凸部を有する、請求項１に記載のＬＥＤ照明器具。
【請求項３】
上記凸部には、ネジ穴が形成されている、請求項２に記載のＬＥＤ照明器具。
【請求項４】
上記ネジ穴に螺合され、かつ先端が上記導光板に当接するネジを備える、請求項３に記載のＬＥＤ照明器具。
【請求項５】
上記ケースは、上記導光板を挟んで上記第１方向に離間配置された２以上の上記凸部を有する、請求項２ないし４のいずれかに記載のＬＥＤ照明器具。
【請求項６】
上記ケースは、上記側板から上記第１方向に突出し、かつ他の側板との間に上記基板の端部が位置する上記凸部を有する、請求項２ないし５のいずれかに記載のＬＥＤ照明器具。
【請求項７】
上記基板に接続されたケーブルをさらに備えており、
上記側板には、上記ケーブルが挿通された切欠きが形成されている、請求項１ないし６のいずれかに記載のＬＥＤ照明器具。
【請求項８】
上記第３方向において上記導光板を挟んで離間配置された２つの上記基板を備える、請求項１ないし７のいずれかに記載のＬＥＤ照明器具。
【請求項９】
上記２つの基板の一方に接続されたケーブルを備え、
上記導光板には、上記ケースとの間に上記ケーブルを挿通させる凹部が形成されている、請求項８に記載のＬＥＤ照明器具。
【請求項１０】
上記ケースは、金属板を折り曲げ加工することによって形成されている、請求項１に記載のＬＥＤ照明器具。
【請求項１１】
上記導光板は、上記反射面の端縁に繋がる斜面を有する、請求項１０に記載のＬＥＤ照明器具。
【請求項１２】
上記出射面を露出させる開口を有するカバーをさらに備える、請求項１ないし１１のいずれかに記載のＬＥＤ照明器具。
【請求項１３】
上記カバーは、金属板を折り曲げ加工することによって形成されている、請求項１２に記載のＬＥＤ照明器具。
【請求項１４】
上記カバーは、上記ケースを囲む複数の側板と、この側板の端縁から延出して取り付け穴が形成された延出部と、を有する、請求項１３に記載のＬＥＤ照明器具。
【請求項１５】
上記複数のＬＥＤチップは、上記基板に直接搭載されている、請求項１ないし１４のいずれかに記載のＬＥＤ照明器具。
【請求項１６】
上記複数のＬＥＤチップを各別に囲む複数のリフレクタを備える、請求項１５に記載のＬＥＤ照明器具。
【請求項１７】
上記複数のＬＥＤチップを一括して囲む複数のリフレクタを備える、請求項１５に記載のＬＥＤ照明器具。
【請求項１８】
上記複数のＬＥＤチップを覆う蛍光樹脂を備える、請求項１５ないし１７のいずれかに記載のＬＥＤ照明器具。
【請求項１９】
各々が上記ＬＥＤチップおよび実装端子を備え、上記基板に実装された複数のＬＥＤモジュールを備える、請求項１ないし１４のいずれかに記載のＬＥＤ照明器具。
【請求項２０】
上記ＬＥＤモジュールは、上記ＬＥＤチップを囲むリフレクタを備える、請求項１９に記載のＬＥＤ照明器具。
【請求項２１】
上記ＬＥＤモジュールは、上記ＬＥＤチップ覆う蛍光樹脂を備える、請求項１９または２０に記載のＬＥＤ照明器具。
【請求項２２】
上記導光板の上記出射面を覆う拡散シートを備える、請求項１ないし２１のいずれかに記載のＬＥＤ照明器具。
【請求項２３】
上記導光板の上記反射面を覆う反射シートを備える、請求項１ないし２２のいずれかに記載のＬＥＤ照明器具。
【請求項２４】
上記ケースの上記底板には、上記導光板の上記反射面を露出させる開口が形成されている、請求項１ないし２２のいずれかに記載のＬＥＤ照明器具。
【発明の詳細な説明】
【技術分野】
【０００１】
本発明は、ＬＥＤ照明器具に関する。
【背景技術】
【０００２】
ＬＥＤチップが光源として用いられたＬＥＤ照明器具が普及し始めている。特許文献１には、ＬＥＤ照明器具の一例が開示されている。このＬＥＤ照明器具は、平面的に配置された複数のＬＥＤチップと、これらのＬＥＤチップを覆うカバーを有している。このカバーは、半透明であり、ＬＥＤチップからの光を拡散させつつ透過させる。
【０００３】
上記ＬＥＤ照明器具は、従来の蛍光灯を備えた照明器具の代替品として使用されることが意図されている。このため、その外観は、蛍光灯を備えた照明器具と類似の外観とされている。また、上記複数のＬＥＤチップは、点光源であるため、上記カバーからより均一な光を出射するには、上記複数のＬＥＤチップと上記カバーとを十分に離す必要がある。この結果、上記ＬＥＤ照明器具は、ＬＥＤチップを光源として用いているにもかかわらず、十分な薄型化を図ることが困難であった。
【先行技術文献】
【特許文献】
【０００４】
【特許文献１】特開２０１１−１３４６８４号公報
【発明の概要】
【発明が解決しようとする課題】
【０００５】
本発明は、上記した事情のもとで考え出されたものであって、薄型化を図ることが可能なＬＥＤ照明器具を提供することをその課題とする。
【課題を解決するための手段】
【０００６】
本発明によって提供されるＬＥＤ照明器具は、第１方向を長手方向とし、第２方向を幅方向とする細長状の１以上の基板と、上記基板に支持され、上記第１方向に沿って配列された複数のＬＥＤチップと、上記第１および第２方向のいずれに対しても直角である第３方向を向き、上記複数のＬＥＤチップからの光が入射する入射面、上記第１および第３方向に沿って広がり、上記入射面から進行してきた光を上記第２方向に向けて反射する反射面、上記第１および第３方向に沿って広がり、上記反射面から進行した光を出射する出射面、を有し、上記第２方向を厚さ方向とする導光板と、上記基板を支持し、上記導光板を囲む複数の側板およびこれらの側板をつなぐ底板を有するケースと、を備えることを特徴としている。
【０００７】
本発明の好ましい実施の形態においては、上記ケースは、上記側板から上記導光板に向かって突出する１以上の凸部を有する。
【０００８】
本発明の好ましい実施の形態においては、上記凸部には、ネジ穴が形成されている。
【０００９】
本発明の好ましい実施の形態においては、上記ネジ穴に螺合され、かつ先端が上記導光板に当接するネジを備える。
【００１０】
本発明の好ましい実施の形態においては、上記ケースは、上記導光板を挟んで上記第１方向に離間配置された２以上の上記凸部を有する。
【００１１】
本発明の好ましい実施の形態においては、上記ケースは、上記側板から上記第１方向に突出し、かつ他の側板との間に上記基板の端部が位置する上記凸部を有する。
【００１２】
本発明の好ましい実施の形態においては、上記基板に接続されたケーブルをさらに備えており、上記側板には、上記ケーブルが挿通された切欠きが形成されている。
【００１３】
本発明の好ましい実施の形態においては、上記第３方向において上記導光板を挟んで離間配置された２つの上記基板を備える。
【００１４】
本発明の好ましい実施の形態においては、上記２つの基板の一方に接続されたケーブルを備え、上記導光板には、上記ケースとの間に上記ケーブルを挿通させる凹部が形成されている。
【００１５】
本発明の好ましい実施の形態においては、上記ケースは、金属板を折り曲げ加工することによって形成されている。
【００１６】
本発明の好ましい実施の形態においては、上記導光板は、上記反射面の端縁に繋がる斜面を有する。
【００１７】
本発明の好ましい実施の形態においては、上記出射面を露出させる開口を有するカバーをさらに備える。
【００１８】
本発明の好ましい実施の形態においては、上記カバーは、金属板を折り曲げ加工することによって形成されている。
【００１９】
本発明の好ましい実施の形態においては、上記カバーは、上記ケースを囲む複数の側板と、この側板の端縁から延出して取り付け穴が形成された延出部と、を有する。
【００２０】
本発明の好ましい実施の形態においては、上記複数のＬＥＤチップは、上記基板に直接搭載されている。
【００２１】
本発明の好ましい実施の形態においては、上記複数のＬＥＤチップを各別に囲む複数のリフレクタを備える。
【００２２】
本発明の好ましい実施の形態においては、上記複数のＬＥＤチップを一括して囲む複数のリフレクタを備える。
【００２３】
本発明の好ましい実施の形態においては、上記複数のＬＥＤチップを覆う蛍光樹脂を備える。
【００２４】
本発明の好ましい実施の形態においては、各々が上記ＬＥＤチップおよび実装端子を備え、上記基板に実装された複数のＬＥＤモジュールを備える。
【００２５】
本発明の好ましい実施の形態においては、上記ＬＥＤモジュールは、上記ＬＥＤチップを囲むリフレクタを備える。
【００２６】
本発明の好ましい実施の形態においては、上記ＬＥＤモジュールは、上記ＬＥＤチップ覆う蛍光樹脂を備える。
【００２７】
本発明の好ましい実施の形態においては、上記導光板の上記反射面を覆う反射シートを備える。
【００２８】
本発明の好ましい実施の形態においては、上記導光板の上記出射面を覆う拡散シートを備える。
【００２９】
このような構成によれば、上記複数のＬＥＤチップからの光を上記導光板の側面である上記入射面から入射させ、この光を上記出射面から出射させる。このため、上記ＬＥＤ照明器具の厚さを、上記基板の幅あるいは上記導光板の厚さと上記ケースの上記底板を足合わせた程度の厚さとすることが可能であり、たとえば従来のシーリングライトを模した構成と比べて上記ＬＥＤ照明器具の薄型化を図ることができる。
【００３０】
本発明のその他の特徴および利点は、添付図面を参照して以下に行う詳細な説明によって、より明らかとなろう。
【図面の簡単な説明】
【００３１】
【図１】本発明の第１実施形態に基づくＬＥＤ照明器具を示す平面図である。
【図２】図１のＬＥＤ照明器具を示す側面図である。
【図３】図１のＩＩＩ−ＩＩＩ線に沿う要部断面図である。
【図４】図１のＬＥＤ照明器具のケースを示す平面図である。
【図５】図５のケースを示す側面図である。
【図６】図５のケースを示す側面図である。
【図７】図１のＬＥＤ照明器具の基板およびＬＥＤチップを示す平面図である。
【図８】図７のＶＩＩＩ−ＶＩＩＩ線に沿う要部断面図である。
【図９】図１のＬＥＤ照明器具を示す要部断面図である。
【図１０】基板およびＬＥＤチップの構成の他の例を示す要部平面図である。
【図１１】図１０のＸＩ−ＸＩ線に沿う要部断面図である。
【図１２】基板およびＬＥＤチップの構成の他の例を示す要部断面図である。
【図１３】本発明の第２実施形態に基づくＬＥＤ照明器具を示す平面図である。
【図１４】図１３のＸＩＶ−ＸＩＶ線に沿う要部断面図である。
【図１５】本発明の第３実施形態に基づくＬＥＤ照明器具を示す要部断面図である。
【図１６】本発明の第４実施形態に基づくＬＥＤ照明器具を示す平面図である。
【図１７】図１６のＸＶＩＩ−ＸＶＩＩ線に沿う要部断面図である。
【発明を実施するための形態】
【００３２】
以下、本発明の好ましい実施の形態につき、図面を参照して具体的に説明する。
【００３３】
図１〜図３は、本発明の第１実施形態に基づくＬＥＤ照明器具を示している。本実施形態のＬＥＤ照明器具１０１は、基板２００、複数のＬＥＤチップ３００、導光板４００、ケース５００およびカバー６００を備えている。ＬＥＤ照明器具１０１は、たとえば天井や壁面に取り付けられることにより、室内用の照明器具として用いられる。ＬＥＤ照明器具１０１は、平面視が矩形状とされており、１辺の長さがたとえば１４０ｍｍ〜３２０ｍｍ程度とされる。
【００３４】
ケース５００は、基板２００および導光板４００を収容および保持するものであり、図４〜図６に示すように、底板５１０および４つの側板５２０を有している。本実施形態においては、ケース５００は、金属部材を削りだし加工することによって形成されている。これに限定されず、ケース５００は、たとえば樹脂によって形成してもよい。底板５１０は、ｘ方向およびｙ方向に広がる略正方形状とされている。４つの側板５２０は、底板５１０の４つの辺に繋がっており、それぞれがｚ方向を幅方向とし、ｘ方向またはｙ方向を長手方向とする細長矩形状とされている。
【００３５】
ｙ方向に延びる２つの側板５２０には、２つずつの凸部５２１がそれぞれに形成されている。各凸部５２１は、側板５２０からｘ方向内方に突出している。各凸部５２１には、ネジ穴５２５が形成されている。図４において図中上方に位置するｘ方向に延びる側板５２０には、２つの凸部５２２が形成されている。また、図中左方に位置する側板５２０の図中下端付近には、凸部５２３が形成されている。図中右方に位置する側板５２０の図中下端付近には、切欠き５２８が形成されている。４つの凸部５２１、２つの凸部５２２および凸部５２３に囲まれた領域には、導光板４００が配置される。また、凸部５２３と図中下方に位置する側板５２０との間には、基板２００の一端が配置される。
【００３６】
基板２００は、ｘ方向を長手方向とし、ｚ方向を幅方向とする細長矩形状である。図７に示すように、基板２００は、基材に金属からなる配線パターン２１０が形成された構成とされている。なお、図７においては、理解の便宜上、後述する蛍光樹脂３３０を省略している。上記基材としては、アルミなどの金属に絶縁層が形成されたもの、セラミックス、ガラスエポキシ樹脂などを適宜採用できる。基板２００の長さは、ケース５００の側板５２０の長さよりも若干小とされている。基板２００は、たとえば側板５２０に対して両面テープを介して固定されている。
【００３７】
図７および図８に示すように、基板２００は、複数のＬＥＤチップ３００を支持している。なお、図８においては、配線パターン２１０を省略している。本実施形態においては、複数のＬＥＤチップ３００は、基板２００に直接実装されており、ｘ方向に沿って１列に配列されている。ＬＥＤチップ３００は、たとえばＳｉからなるサブマウント基板と、たとえばＧａＮ系半導体からなる半導体層とを有しており、たとえば青色光を発する。各ＬＥＤチップ３００は、２つのワイヤを介して配線パターン２１０に導通している。なお、ＬＥＤチップ３００は、本実施形態のようないわゆる２ワイヤタイプに限定されず、１ワイヤタイプ、あるいはワイヤを用いないフリップチップタイプであってもよい。
【００３８】
複数のＬＥＤチップ３００は、複数のリフレクタ３２０によって各別に囲まれている。リフレクタ３２０は、たとえば白色樹脂からなり、基板２００上に形成されている。リフレクタ３２０は、ＬＥＤチップ３００を囲む傾斜面を有している。また、ＬＥＤチップ３００は、蛍光樹脂３３０によって覆われている。蛍光樹脂３３０は、たとえば透明な樹脂に蛍光材料が混入されたものである。この蛍光材料としては、ＬＥＤチップ３００からの青色光によって励起されることにより、黄色光を発するものが採用される。あるいは、ＬＥＤチップ３００からの青色光によって励起されることにより、赤色光を発するものと緑色光を発するものとを採用してもよい。基板２００には、ケーブル３５０が接続されている。ケーブル３５０は、外部の電源（図示略）から複数のＬＥＤチップ３００を点灯させるための電力を供給するためのものである。ケーブル３５０は、ケース５００の切欠き５２８に挿通されている。
【００３９】
導光板４００は、ｘ方向およびｙ方向に沿って広がり、ｚ方向を厚さ方向としており、たとえば透明なポリメチルメタクリレート（ＰＭＭＡ）樹脂からなる。図３に示すように、導光板４００は、入射面４１０、反射面４２０および出射面４３０を有している。入射面４１０は、ｙ方向を向きｘ方向に長く延びる細長矩形状の面である。入射面４１０は、複数のＬＥＤチップ３００に正対しており、複数のＬＥＤチップ３００からの光が入射する。反射面４２０は、ｘ方向およびｙ方向に広がっており、ケース５００の底板５１０と正対する位置にある。反射面４２０は、入射面４１０から入射し、導光板４００内を進行してきた光をｚ方向へと反射する面である。このような反射面４２０の具体的構成としては、たとえば白色樹脂を適切な範囲に所定のパターンで塗布したもの、細かな複数の溝や複数の凹凸が形成されたものなどが挙げられる。出射面４３０は、ｘ方向およびｙ方向に広がり、ｚ方向において反射面４２０とは反対側に位置する。出射面４３０は、反射面４２０から進行してきた光を外部へ向けて出射する面であり、平滑な面とされている。
【００４０】
導光板４００の反射面４２０は、反射シート４８１によって覆われている。反射シート４８１は、たとえば白色樹脂からなり、反射面４２０から出射した光を導光板４００へと入射させる機能を果たす。また、導光板４００の出射面４３０は、拡散シート４８２によって覆われている。拡散シート４８２は、たとえば乳白色の半透明樹脂からなり、出射面４３０から出射した光を拡散しつつ透過させる。
【００４１】
図１、図２、図４に示すように、導光板４００のケース５００への取り付けは、複数のネジ７１０によってなされる。各ネジ７１０は、ケース５００の凸部５２１のネジ穴５２５に螺合している。図９は、あるネジ７１０を含むｘｙ平面における要部断面図である。本図によく表れているように、複数のネジ７１０のいずれかは、その先端が導光板４００に当接している。一方、このネジ７１０に対して導光板４００を挟んで反対側にあるネジ７１０は、導光板４００には当接しない。この当接しないネジ７１０が螺合されているネジ穴５２５が形成された凸部５２１に、導光板４００が当接している。
【００４２】
カバー６００は、導光板４００を出射面４３０側から覆うものであり、略正方形枠状の天板６１０および４つの側板６２０を有している。カバー６００は、ケース５００と同様に金属部材を削りだし加工して形成されたもの、あるいは樹脂成形品などである。天板６１０には、開口６１１が形成されている。開口６１１は、拡散シート４８２を介して出射面４３０の大部分を露出させている。４つの側板６２０は、天板６１０の４辺に繋がっている。側板６２０のうちケース５００のネジ穴５２５に重なる部分には、複数の穴６２１が形成されている。穴６２１は、ネジ７１０が挿通されることにより、カバー６００をケース５００に取り付けるために用いられる。また、図２に示すように、１つの側板６２０には、切欠き６２５が形成されている。切欠き６２５には、ケーブル３５０が挿通される。
【００４３】
次に、ＬＥＤ照明器具１０１の作用について説明する。
【００４４】
本実施形態によれば、複数のＬＥＤチップ３００からの光を導光板４００の側面である入射面４１０から入射させ、この光を出射面４３０から出射させる。このため、ＬＥＤ照明器具１０１の厚さを、基板２００の幅あるいは導光板４００の厚さとケース５００の底板５１０を足合わせた程度の厚さとすることが可能であり、たとえば従来のシーリングライトを模した構成と比べてＬＥＤ照明器具１０１の薄型化を図ることができる。
【００４５】
ケース５００に複数の凸部５２１，５２２，５２３を設け、ネジ７１０を導光板４００に適宜当接させることにより、導光板４００をケース５００に対して適切に固定および位置決めすることができる。凸部５２３は、基板２００と導光板４００とが不当に近づいてしまうことを回避するのに適している。
【００４６】
開口６１１が導光板４００の出射面４３０より小であることにより、基板２００や複数のＬＥＤチップ３００は、カバー６００の天板６１０によって覆われている。これにより、複数のＬＥＤチップ３００からの光が直接視認されたり、導光板４００内において十分に拡散される前の不均一な輝度の光が視認されたりすることを回避することができる。
【００４７】
図１０〜図１７は、本発明の他の実施形態を示している。なお、これらの図において、上記実施形態と同一または類似の要素には、上記実施形態と同一の符号を付している。
【００４８】
図１０および図１１は、リフレクタ３２０および蛍光樹脂３３０の変形例を示している。本例においては、リフレクタ３２０は、複数のＬＥＤチップ３００を一括して囲む細長枠状とされている。また、１つの蛍光樹脂３３０が複数のＬＥＤチップ３００を一括して覆っている。このような構成によれば、複数のＬＥＤチップ３００からの光を蛍光樹脂３３０内においてより拡散させることが可能であり、ＬＥＤ照明器具１０１からより均一な輝度の光を出射することができる。
【００４９】
図１２は、さらに他の変形例を示している。本例においては、ＬＥＤ照明器具１０１は、複数のＬＥＤモジュール３０１を備えている。ＬＥＤモジュール３０１は、２つのリード３１０を有している。リード３１０は、一面がＬＥＤモジュール３０１を基板２００に実装するための実装端子として用いられる。一方のリード３１０には、ＬＥＤチップ３００がボンディングされている。２つのリード３１０とＬＥＤチップ３００とは、２つのワイヤによって接続されている。ＬＥＤモジュール３０１は、ＬＥＤチップ３００を囲むリフレクタ３２０およびＬＥＤチップ３００を覆う蛍光樹脂３３０を有している。このような構成であってもＬＥＤ照明器具１０１の薄型化を図ることができる。
【００５０】
本発明に係るＬＥＤ照明器具においては、図７、図８、図１０、図１１および図１２に示した構成を適宜採用することができる。
【００５１】
図１３および図１４は、本発明の第２実施形態に基づくＬＥＤ照明器具を示している。本実施形態のＬＥＤ照明器具１０２は、２つの基板２００を備えている。２つの基板２００は、ｙ方向において導光板４００を挟んで配置されている。各基板２００およびこれに搭載された複数のＬＥＤチップ３００、リフレクタ３２０および蛍光樹脂３３０の構成は上述したものと同様である。導光板４００は、ｙ方向両側に２つの入射面４１０を有している。なお、図１３においては、理解の便宜上カバー６００を省略し、開口６１１を想像線によって示している。
【００５２】
導光板４００には、凹部４５０が形成されている。図１４によく表れているように、凹部４５０は、ｘ方向およびｚ方向に凹んでおり、導光板４００のｘ方向一端付近においてｙ方向に延びている。凹部４５０は、一方の基板２００に接続されたケーブル３５０をケース５００の切欠き５２８およびカバー６００の切欠き６２５へと導くためのものである。このような構成によれば、ＬＥＤ照明器具１０２の光量を増加させることができる。導光板４００に凹部４５０を設けることにより、ケーブル３５０と導光板４００との干渉を防止することができる。
【００５３】
図１５は、本発明の第３実施形態に基づくＬＥＤ照明器具を示している。本実施形態のＬＥＤ照明器具１０３においては、ケース５００の底板５１０に開口５１１が形成されている。また、本実施形態においては、導光板４００のｚ方向を向く２面双方が、反射面４２０および出射面４３０として機能するように構成されている。たとえば、反射面４２０として機能させるための離散的に塗布された白色樹脂の間を光が透過すると、反射面４２０と出射面４３０との双方の機能を果たすこととなる。導光板４００のｚ方向両側には、２つの拡散シート４８２が設けられている。このような構成によれば、ＬＥＤ照明器具１０３はｚ方向の両側に光を出射することができる。たとえば、ＬＥＤ照明器具１０３を従来の卓上スタンドに備えられるアームによって支持することにより、机の作業面と、壁面あるいは天井面とを、同時に照らすことができる。
【００５４】
図１６および図１７は、本発明の第４実施形態に基づくＬＥＤ照明器具を示している。本実施形態のＬＥＤ照明器具１０４においては、ケース５００およびカバー６００が金属板を折り曲げ加工することによって形成されている。図１７によく表れているように、導光板４００には、斜面４６０が形成されている。この斜面４６０は、導光板４００の４辺に形成されており、ケース５００の底板５１０と側板５２０との境界に臨んでいる。また、カバー６００には、２つの延出部６３０が形成されている。延出部６３０は、側板６２０からｙ方向に延びている。延出部６３０には、取り付け穴６３１が形成されている。取り付け穴６３１は、ネジによる固定あるいは壁面に設けられた金具との係合などによりＬＥＤ照明器具１０４を固定物に取り付けるために用いられる。このような構成によれば、ＬＥＤ照明器具１０４をより安価に製造することができる。導光板４００に斜面４６０を形成することにより、折り曲げ加工によってケース５００に生じる凹曲面部と導光板４００の端縁とが不当に干渉することを回避することができる。また、延出部６３０を設けることにより、ＬＥＤ照明器具１０４をより確実に固定することができる。
【００５５】
本発明に係るＬＥＤ照明器具は、上述した実施形態に限定されるものではない。本発明に係るＬＥＤ照明器具の各部の具体的な構成は、種々に設計変更自在である。
【符号の説明】
【００５６】
ｘ    （第１）方向
ｙ    （第３）方向
ｚ    （第２）方向
１０１，１０２，１０３  ＬＥＤ照明
２００  基板
２１０  配線パターン
３０１  ＬＥＤモジュール
３００  ＬＥＤチップ
３１０  リード
３２０  リフレクタ
３３０  蛍光樹脂
３５０  ケーブル
４００  導光板
４１０  入射面
４２０  反射面
４３０  出射面
４５０  凹部
４６０  斜面
４８１  反射シート
４８２  拡散シート
５００  ケース
５１０  底板
５１１  開口
５２０  側板
５２１，５２２，５２３  凸部
５２５，５２６  ネジ穴
５２８  切欠き
６００  カバー
６１０  天板
６１１  開口
６２０  側板
６３０  延出部
６３１  取り付け穴
７１０  ネジ
【図１】
2014022209.tif 000003
【図２】
2014022209.tif 000004
【図３】
2014022209.tif 000005
【図４】
2014022209.tif 000006
【図５】
2014022209.tif 000007
【図６】
2014022209.tif 000008
【図７】
2014022209.tif 000009
【図８】
2014022209.tif 000010
【図９】
2014022209.tif 000011
【図１０】
2014022209.tif 000012
【図１１】
2014022209.tif 000013
【図１２】
2014022209.tif 000014
【図１３】
2014022209.tif 000015
【図１４】
2014022209.tif 000016
【図１５】
2014022209.tif 000017
【図１６】
2014022209.tif 000018
【図１７】
2014022209.tif 000019